【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
被写体を撮像し、フレーム画像データを連続的に出力する撮像装置から前記フレーム画像データが入力される入力部と、
前記フレーム画像データを連続的に表示処理して画像を表示する表示装置で表示される前記画像の画質に係る要素である解像度、色表現、更新周期、及び階調のうち少なくとも２つの要素のフォーマットを規定するデータフォーマットとして、異なる画質に対応する複数のデータフォーマットを記憶すると共に、前記要素の重要度を示す重要度情報を記憶する記憶部と、
前記記憶部に記憶されている前記データフォーマットの中から選択されたデータフォーマットに従って、前記入力部に入力された前記フレーム画像データを画像処理する画像処理部と、
前記表示装置に対して、前記画像処理部によって画像処理された前記フレーム画像データを連続的に無線送信する無線通信部と、
前記無線通信部が前記フレーム画像データを前記無線送信する際の無線通信環境を検出する検出部と、
前記記憶部に記憶されている前記データフォーマットの中からいずれかを選択する選択部であって、前記検出部によって前記無線通信環境が劣化していると検出された場合、前記記憶部に記憶されている前記重要度情報に基づいて選択した前記要素について、現在選択されている前記データフォーマットで規定されるフォーマットよりも品質の低いフォーマットが規定された前記データフォーマットを選択する選択部と、
を有する画像処理装置。
【請求項２】
前記選択部は、前記検出部によって前記通信環境が劣化していると検出された場合、前記重要度情報によって重要度が他の前記要素よりも低いことが示されている前記要素について、現在選択されている前記データフォーマットで規定されるフォーマットよりも品質の低いフォーマットが規定された前記データフォーマットを選択する請求項１に記載の画像処理装置。
【請求項３】
前記記憶部は、ユーザー毎、撮像装置毎、又は前記ユーザーと前記撮像装置の組合せ毎に前記データフォーマットを記憶する請求項１に記載の画像処理装置。
【請求項４】
前記記憶部は、複数の第１のデータフォーマットと、前記撮像装置毎の最高品質の画質に対応する第２のデータフォーマットとを記憶し、
前記選択部は、前記検出部によって前記通信環境が劣化していると検出された場合、前記記憶部に記憶されている前記重要度情報に基づいて選択した前記要素について、前記入力部に入力される前記フレーム画像データを出力する前記撮像装置に対応する前記第２のデータフォーマットで規定されるフォーマットよりも品質の低い又は品質が同等のフォーマットを規定する前記第１のデータフォーマットであって、現在選択されている前記データフォーマットで規定されるフォーマットよりも品質の低いフォーマットが規定された前記第１のデータフォーマットを選択する請求項１に記載の画像処理装置。
【請求項５】
前記記憶部は、複数の第１のデータフォーマットと、前記少なくとも２つの要素のそれぞれの使用可能な最低品質の画質に対応するフォーマットを規定する第２のデータフォーマットとを記憶し、
前記選択部は、前記検出部によって前記通信環境が劣化していると検出された場合、前記記憶部に記憶されている前記重要度情報に基づいて選択した前記要素について、前記第２のデータフォーマットで規定されるフォーマットよりも品質の高い又は品質が同等のフォーマットを規定する前記第１のデータフォーマットであって、現在選択されている前記データフォーマットで規定されるフォーマットよりも品質の低いフォーマットが規定された前記第１のデータフォーマットを選択する請求項１に記載の画像処理装置。
【請求項６】
前記記憶部は、ユーザー毎、撮像装置毎、又は前記ユーザーと前記撮像装置の組合せ毎に前記第２のデータフォーマットを記憶する請求項５に記載の画像処理装置。
【請求項７】
被写体を撮像し、フレーム画像データを連続的に出力する撮像装置から前記フレーム画像データが入力される入力ステップと、
前記フレーム画像データを連続的に表示処理して画像を表示する表示装置で表示される前記画像の画質に係る要素である解像度、色表現、更新周期、及び階調のうち少なくとも２つの要素のフォーマットを規定するデータフォーマットとして、異なる画質に対応する複数のデータフォーマットを記憶すると共に、前記要素の重要度を示す重要度情報を記憶する記憶ステップと、
前記記憶ステップで記憶されている前記データフォーマットの中から選択されたデータフォーマットに従って、前記入力ステップで入力された前記フレーム画像データを画像処理する画像処理ステップと、
前記表示装置に対して、前記画像処理ステップによって画像処理された前記フレーム画像データを連続的に無線送信する無線通信ステップと、
前記無線通信ステップで前記フレーム画像データを前記無線送信する際の無線通信環境を検出する検出ステップと、
前記記憶ステップで記憶されている前記データフォーマットの中からいずれかを選択する選択ステップであって、前記検出ステップによって前記無線通信環境が劣化していると検出された場合、前記記憶ステップで記憶されている前記重要度情報に基づいて選択した前記要素について、現在選択されている前記データフォーマットで規定されるフォーマットよりも品質の低いフォーマットが規定された前記データフォーマットを選択する選択ステップと、
を有する画像処理方法。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】０００１
【補正方法】変更
【補正の内容】
【０００１】
本発明は、撮像装置から入力されるフレーム画像データを画像処理する画像処理装置及び画像処理方法に関する。
【手続補正４】
【補正対象書類名】明細書
【補正対象項目名】０００５
【補正方法】変更
【補正の内容】
【０００５】
本発明は、上述した課題に鑑みてなされたものであって、通信環境が劣化した場合でも、表示装置で表示される画像の画質に係る要素のうち、重要度の高い要素の画質の劣化を抑えることができる画像処理装置及び画像処理方法を提供することを目的とする。
【手続補正５】
【補正対象書類名】明細書
【補正対象項目名】０００６
【補正方法】変更
【補正の内容】
【０００６】
本発明は、上記の課題を解決するためになされたもので、被写体を撮像し、フレーム画像データを連続的に出力する撮像装置から前記フレーム画像データが入力される入力部と、前記フレーム画像データを連続的に表示処理して画像を表示する表示装置で表示される前記画像の画質に係る要素である解像度、色表現、更新周期、及び階調のうち少なくとも２つの要素のフォーマットを規定するデータフォーマットとして、異なる画質に対応する複数のデータフォーマットを記憶すると共に、前記要素の重要度を示す重要度情報を記憶する記憶部と、前記記憶部に記憶されている前記データフォーマットの中から選択されたデータフォーマットに従って、前記入力部に入力された前記フレーム画像データを画像処理する画像処理部と、前記表示装置に対して、前記画像処理部によって画像処理された前記フレーム画像データを連続的に無線送信する無線通信部と、前記無線通信部が前記フレーム画像データを前記無線送信する際の無線通信環境を検出する検出部と、前記記憶部に記憶されている前記データフォーマットの中からいずれかを選択する選択部であって、前記検出部によって前記無線通信環境が劣化していると検出された場合、前記記憶部に記憶されている前記重要度情報に基づいて選択した前記要素について、現在選択されている前記データフォーマットで規定されるフォーマットよりも品質の低いフォーマットが規定された前記データフォーマットを選択する選択部と、を有する画像処理装置である。
【手続補正６】
【補正対象書類名】明細書
【補正対象項目名】００１１
【補正方法】変更
【補正の内容】
【００１１】
また、本発明の画像処理装置において、記記憶部は、ユーザー毎、撮像装置毎、又は前記ユーザーと前記撮像装置の組合せ毎に前記第２のデータフォーマットを記憶する。
また、本発明は、被写体を撮像し、フレーム画像データを連続的に出力する撮像装置から前記フレーム画像データが入力される入力ステップと、前記フレーム画像データを連続的に表示処理して画像を表示する表示装置で表示される前記画像の画質に係る要素である解像度、色表現、更新周期、及び階調のうち少なくとも２つの要素のフォーマットを規定するデータフォーマットとして、異なる画質に対応する複数のデータフォーマットを記憶すると共に、前記要素の重要度を示す重要度情報を記憶する記憶ステップと、前記記憶ステップで記憶されている前記データフォーマットの中から選択されたデータフォーマットに従って、前記入力ステップで入力された前記フレーム画像データを画像処理する画像処理ステップと、前記表示装置に対して、前記画像処理ステップによって画像処理された前記フレーム画像データを連続的に無線送信する無線通信ステップと、前記無線通信ステップで前記フレーム画像データを前記無線送信する際の無線通信環境を検出する検出ステップと、前記記憶ステップで記憶されている前記データフォーマットの中からいずれかを選択する選択ステップであって、前記検出ステップによって前記無線通信環境が劣化していると検出された場合、前記記憶ステップで記憶されている前記重要度情報に基づいて選択した前記要素について、現在選択されている前記データフォーマットで規定されるフォーマットよりも品質の低いフォーマットが規定された前記データフォーマットを選択する選択ステップと、を有する画像処理方法である。